(57)【要約】【課題】回転部の振動やシールブラシへの油煙の付着があっても高いシール能力を保持するブラシシール装置を提供する。【解決手段】立軸回転機の回転部１と静止部４のあいだにシールブラシ２を備えたブラシシール装置において、前記シールブラシ２は、先端を下向きにして斜めに前記静止部４に取り付けられ、前記先端は斜め下向きに前記回転部１に接触している構成とする。【選択図】図１
2005155760.tif 000002
【特許請求の範囲】
【請求項１】
立軸回転機の回転部と静止部のあいだにシールブラシを備えたブラシシール装置において、前記シールブラシは、先端を下向きにして斜めに前記静止部に取り付けられ、前記先端は斜め下向きに前記回転部に接触していることを特徴とするブラシシール装置。
【請求項２】
立軸回転機の回転部と静止部のあいだにシールブラシを備えたブラシシール装置において、前記シールブラシは前記回転部に放射状に取り付けられていることを特徴とするブラシシール装置。
【請求項３】
前記シールブラシから振り落とされた油を油槽に導く導管を備えていること特徴とする請求項２記載のブラシシール装置。
【請求項４】
立軸回転機の回転部と静止部のあいだにシールブラシを備えたブラシシール装置において、前記シールブラシは前記回転部に軸方向に取り付けられ、前記シールブラシの先端は前記静止部に設けられた軸直交面に接触していることを特徴とするブラシシール装置。
【請求項５】
立軸回転機の回転部と静止部のあいだにシールブラシを備えたブラシシール装置において、前記シールブラシは前記静止部に軸方向に取り付けられ、前記シールブラシの先端は前記回転部に設けられた軸直交面に接触していることを特徴とするブラシシール装置。
【請求項６】
前記シールブラシは軸方向両側に設けられ、前記シールブラシの先端は前記静止部または前記回転部に設けられた複数の軸直交面に接触していることを特徴とする請求項４または５に記載のブラシシール装置。
【発明の詳細な説明】
【技術分野】
【０００１】
本発明は、堅型水車発電機等の立軸回転機の回転軸をシールブラシによってシールするブラシシール装置に関する。
【背景技術】
【０００２】
蒸気タービン等における回転軸をシールブラシによってシールするブラシシール装置は例えば下記特許文献１に記載されている。また、堅型水車発電機のような立軸回転機の軸受油槽内部で発生する油煙が油槽外部に流出するのを防止するために、図８に示すようなブラシシール装置が設けられている。図８（ａ）において1は回転軸、２は回転軸１に接するシールブラシ、３はシールブラシ２を保持するホルダー、４はホルダー３が取り付けられるブラシカバーである。図８（ｂ）の平面図に示すように、シールブラシ２は回転軸１に接触しており，ブラシカバー４の内部で発生する油煙７が矢印のように外に流出するのを防止している。
【特許文献１】特開２００１−２９５６０９号公報
【発明の開示】
【発明が解決しようとする課題】
【０００３】
上記のような従来のブラシシール装置においては次のような問題がある。すなわち、回転軸に半径方向の振動が発生すると、シールブラシと回転軸の接触が不安定になり、シール能力が低下する。また、シールブラシに油煙が付着しその油が劣化し凝固すると、シール能力が低下する。  
そこで本発明は、回転部の振動やシールブラシへの油煙の付着があっても高いシール能力を保持するブラシシール装置を提供することを目的とする。
【課題を解決するための手段】
【０００４】
請求項１の発明は、立軸回転機の回転部と静止部のあいだにシールブラシを備えたブラシシール装置において、前記シールブラシは、先端を下向きにして斜めに前記静止部に取り付けられ、前記先端は斜め下向きに前記回転部に接触している構成とする。
【０００５】
請求項２の発明は、立軸回転機の回転部と静止部のあいだにシールブラシを備えたブラシシール装置において、前記シールブラシは前記回転部に放射状に取り付けられている構成とする。  
請求項３の発明は、請求項２の発明において、前記シールブラシから振り落とされた油を油槽に導く導管を備えている構成とする。
【０００６】
請求項４の発明は、立軸回転機の回転部と静止部のあいだにシールブラシを備えたブラシシール装置において、前記シールブラシは前記回転部に軸方向に取り付けられ、前記シールブラシの先端は前記静止部に設けられた軸直交面に接触している構成とする。
【０００７】
請求項５の発明は、立軸回転機の回転部と静止部のあいだにシールブラシを備えたブラシシール装置において、前記シールブラシは前記静止部に軸方向に取り付けられ、前記シールブラシの先端は前記回転部に設けられた軸直交面に接触している構成とする。
【０００８】
請求項６の発明は、請求項４または５の発明において、前記シールブラシは軸方向両側に設けられ、前記シールブラシの先端は前記静止部または前記回転部に設けられた複数の軸直交面に接触している構成とする。
【発明の効果】
【０００９】
本発明によれば、回転部の振動やシールブラシへの油煙の付着があっても高いシール能力を保持するブラシシール装置を提供することができる。
【発明を実施するための最良の形態】
【００１０】
以下、本発明の実施の形態を図面を参照して説明する。  
図１は第１の実施の形態のブラシシール装置の構成図である。  
同図において、1は回転軸、２は回転軸１に先端が下向きに傾斜して接触するように取り付けられたシールブラシ、３はシールブラシ２を保持するホルダー、４はホルダー３が取り付けられたブラシカバーである。
【００１１】
この実施の形態のブラシシール装置は、シールブラシ２がその先端を下向きに傾斜して取り付けられているので、回転軸１が振動したときにも接触を保つことができる。また、シールブラシ２内に油が浸み込んでも重力で下に流れ落ちるので劣化し凝固することがない。その結果、常に高いシール能力を保持することができる。
【００１２】
つぎに図２を参照して第２の実施の形態を説明する。この実施の形態のブラシシール装置は、回転軸１にホルダー３を取り付け、このホルダー３にブラシの先端が外向きになるように放射状にシールブラシ２を取り付けた構成である。
【００１３】
そして、ブラシカバー４には、回転軸１と同心の円筒部材が設けられている。この円筒部材の内面にはシールブラシ２の先端が接触するように構成されており、この部位にてシールを行っている。
【００１４】
この実施の形態のブラシシール装置は、シールブラシ２が回転軸１に取り付けられており、回転軸１とともに回転するので、シールブラシ２内に油が浸み込んでも遠心力で外側に飛ばされる。したがってシールブラシ２が硬くなることがなく、常に高いシール能力が保持される。
【００１５】
つぎに図３を参照して第３の実施の形態を説明する。この実施の形態のブラシシール装置は、回転軸１にホルダー３を取り付け、ホルダー３にブラシの先端が外向きになるように放射状にシールブラシ２を取り付けるとともに、ブラシカバー４にシールブラシ２から飛ばされた油を油槽内に戻す導管５を設けた構成である。
【００１６】
この実施の形態のブラシシール装置は、シールブラシ２が回転軸１に取り付けられており、回転軸１とともに回転するので、シールブラシ２内に油が浸み込んでも遠心力で外側に飛ばされる。さらに、飛ばされた油はブラシカバー４に留まることなく導管５によって油槽内に戻され、シールブラシまわりが油の少ない状態に保たれるので、シールブラシが油で硬くなることがなく、常に高いシール能力が保持される。
【００１７】
なお、本実施の形態においては導管５をブラシカバー４の下部に設けたが、ブラシカバー４に設けられる円筒部材に取り付けてもよい。またこの円筒部材の内周面に円周方向に沿った溝を設けるなどすることで、浸み込んだ油の排出をより円滑に行うことも可能である。
【００１８】
つぎに図４を参照して第４の実施の形態を説明する。この実施の形態のブラシシール装置は、回転軸１に取り付けられたホルダー３に軸方向にシールブラシ２を取り付け、シールブラシ２の先端をブラシカバー４の軸直交面に接触させた構成である。
【００１９】
この実施の形態のブラシシール装置においては、シールブラシ２が回転軸１に取り付けられているので、シールブラシ２内に油が浸み込んでも遠心力で外側に飛ばされる。また、シールブラシ２の先端がブラシカバー４の軸直交面に接触するように取り付けられているので、回転軸１が半径方向に振れたとしても、シールブラシ２とブラシカバー４の間に隙間が出来ず，接触が保たれる。したがって常に高いシール能力が保持される。
【００２０】
つぎに図５を参照して第５の実施の形態を説明する。この実施の形態のブラシシール装置は、回転軸１に円盤６を取り付け、ブラシカバー４にホルダー３を介して軸方向に取り付けたシールブラシ２の先端を円盤６の軸直交面に接触させた構成である。
【００２１】
この実施の形態のブラシシール装置においては、シールブラシ２が円盤６の軸直交面に接触するように取り付けられているので、回転軸１が半径方向に振れたとしても、シールブラシ２と円盤６の間に隙間が出来ず、接触が保たれる。したがって常に高いシール性能が保持される。
【００２２】
つぎに図６を参照して第６の実施の形態を説明する。この実施の形態のブラシシール装置は、回転軸１に取り付けられたホルダー３の上下両端面に軸方向にシールブラシ２を取り付け、各シールブラシ２の先端をブラシカバー４の軸直交面に接触させた構成である。
【００２３】
この実施の形態のブラシシール装置においては、シールブラシ２が回転軸１に取り付けられているので、シールブラシ２内に油が浸み込んでも遠心力で外側に飛ばされる。また、シールブラシ２の先端がブラシカバー４の軸直交面に接触するように設けられているので、回転軸１が半径方向に振れたとしても、シールブラシ２とブラシカバー４の間に隙間が出来ず、接触が保たれる。さらに、回転軸１が軸方向に振れた場合にも、上下どちらかのシールブラシ２はブラシカバー４との接触が保たれる。したがって常に高いシール性能が保持される。
【００２４】
つぎに図７を参照して第７の実施の形態を説明する。この実施の形態のブラシシール装置は、回転軸１に円盤６を取り付け、ブラシカバー４にホルダー３を介して軸方向に対向して取り付けられた２つのシールブラシ２の先端を円盤６の両面に接触させた構成である。
【００２５】
この実施の形態のブラシシール装置においては、シールブラシ２が円盤６の両面に接触するように設けられているので、回転軸１が半径方向に振れたとしても、シールブラシ２と円盤６の間に隙間が出来ず、接触が保たれる。さらに、回転軸１が軸方向に振れた場合にも、上下どちらかのシールブラシ２は円盤６との接触が保たれる。したがって常に高いシール性能が保たれる。
【００２６】
以上に説明した第１から第７の実施の形態のブラシシール装置において、回転軸１および円盤６は回転部であり、ブラシカバー４は静止部であり、ホルダー３は回転部あるいは静止部である。
【図面の簡単な説明】
【００２７】
【図１】本発明の第1の実施の形態のブラシシール装置の構造を示す断面図。
【図２】本発明の第２の実施の形態のブラシシール装置の構造を示す断面図。
【図３】本発明の第３の実施の形態のブラシシール装置の構造を示す断面図。
【図４】本発明の第４の実施の形態のブラシシール装置の構造を示す断面図。
【図５】本発明の第５の実施の形態のブラシシール装置の構造を示す断面図。
【図６】本発明の第６の実施の形態のブラシシール装置の構造を示す断面図。
【図７】本発明の第７の実施の形態のブラシシール装置の構造を示す断面図。
【図８】従来のブラシシール装置を示し、（ａ）は縦断面図、（ｂ）は平面図。
【符号の説明】
【００２８】
１…回転軸、２…シールブラシ、３…ホルダー、４…ブラシカバー、５…導管、６…円盤、７…油煙。
【図１】
2005155760.tif 000003
【図２】
2005155760.tif 000004
【図３】
2005155760.tif 000005
【図４】
2005155760.tif 000006
【図５】
2005155760.tif 000007
【図６】
2005155760.tif 000008
【図７】
2005155760.tif 000009
【図８】
2005155760.tif 000010